(57)【要約】  シングルファイバー双方向サブアセンブリは、ベース（１０）と、レーザー（２１）と、光受信機（２３）と、波長スプリッタ（２５）と、レンズ（３１）を有する封止カバー（３０）と、を含む。ベース（１０）は、表面（１１）を含み、表面（１１）上に収容溝（１３）が配置され、収容溝（１３）は、表面（１１）に対して平行な溝底壁（１３１）を含み、波長スプリッタ（２５）に波長分割面（２５１）が配置され、光受信機（２３）は、溝底壁（１３１）上に配置され、波長スプリッタ（２５）は、収容溝（１３）に配置されるとともに、光受信機（２３）をシールドし、レーザー（２１）は、収容溝（１３）の一側に位置し、波長分割面（２５１）は、レーザー（２１）の方を向き、波長分割面（２５１）と光受信機（２３）が配置された溝底壁（１３１）との間に夾角が形成されており；封止カバー（３０）は、ベース（１０）をカバーするとともに、レーザー（２１）、光受信機（２３）、及び波長スプリッタ（２５）を収容し、レーザー（２１）のビームは、波長分割面（２５１）によりレンズ（３１）へ反射され、光受信機（２３）は、レンズ（３１）及び波長スプリッタ（２５）を通って送信された光信号の送受信を行う。
2019503518.tif 000002
【特許請求の範囲】
【請求項１】
ベースと、レーザーと、光受信機と、波長スプリッタと、レンズを有する封止カバーと、を備えるシングルファイバー双方向サブアセンブリであって、前記ベースは、表面を備え、前記表面上に収容溝が配置され、前記収容溝は、前記表面に対して平行な溝底壁を備え、前記波長スプリッタ上に波長分割面が配置され、前記光受信機は、前記溝底壁上に配置され、前記波長スプリッタは、前記収容溝に配置されるとともに、前記光受信機をシールドし、前記レーザーは、前記収容溝の一側に位置し、前記波長分割面は、前記レーザーの方を向き、前記波長分割面と前記光受信機が位置する前記溝底壁との間に夾角が形成されており；
前記封止カバーは、前記ベースをカバーするとともに、前記レーザー、前記光受信機、及び前記波長スプリッタを収容し、前記レーザーのビームは、前記波長分割面により前記レンズへ反射され、前記光受信機は、前記レンズ及び前記波長スプリッタを通って送信された光信号の送受信を行う、シングルファイバー双方向サブアセンブリ。
【請求項２】
前記波長スプリッタは、前記波長分割面に対して平行な平面を備え、前記収容溝の対向する二つの溝側壁の各々に支持スタンドが配置され、前記支持スタンドは、前記溝底壁に対して傾いた支持スロープを有し、前記平面は、前記支持スロープに対して当接し、これにより、前記夾角が前記波長分割面と前記溝底壁との間で形成されている、請求項１に記載のシングルファイバー双方向サブアセンブリ。
【請求項３】
前記ベースは、支持体を備え、前記支持体は、別個の二つの支持アームと、前記二つの支持アームを接続する接続バーと、を備え、前記支持アーム上に支持スロープが配置され、前記支持スロープに平面が取り付けられ、前記支持体は、前記収容溝に配置され、これにより、前記夾角が前記波長分割面と前記溝底壁との間に形成され、前記光受信機は、前記二つの支持アームの間に位置している、請求項１に記載のシングルファイバー双方向サブアセンブリ。
【請求項４】
前記波長スプリッタは、平面及び夾角をなすように前記平面に接続されたスロープを備え、前記スロープは、前記波長分割面であり、前記収容溝の対向する二つの溝側壁の各々に支持スタンドが配置され、前記支持スタンドは、前記溝底壁に対して平行な支持平面を有し、前記支持平面は、前記波長スプリッタを支持し、前記平面は、前記支持平面に対して当接するとともに、前記光受信機の方を向く、請求項１に記載のシングルファイバー双方向サブアセンブリ。
【請求項５】
前記波長スプリッタは、第１平面と、前記第１平面に対して直交するように接続された第２平面と、前記第１平面及び前記第２平面を接続するスロープと、を備え、前記スロープは、前記波長分割面であり、前記収容溝の対向する二つの溝側壁の各々に支持スタンドが配置され、前記支持スタンドは、前記溝底壁に対して傾いた支持スロープを有し、前記波長スプリッタは、前記収容溝に収容され、前記支持スロープは、前記波長分割面に対して当接し、前記第１平面は、前記溝底壁に対して平行であり、前記第２平面及び前記レーザーは、互いに対向して配置され、これにより、前記ビームが前記第２平面から前記波長分割面に入射する、請求項１に記載のシングルファイバー双方向サブアセンブリ。
【請求項６】
前記波長スプリッタは、長方形ブロックであり、前記波長スプリッタは、平面及び前記波長スプリッタ内部に位置する対角線スロープを備え、前記対角線スロープは、前記平面の一辺に接続され、前記対角線スロープは、前記波長分割面であり、前記収容溝の対向する二つの溝側壁の各々に支持スタンドが配置され、前記支持スタンドは、前記溝底壁に対して平行な支持平面を有し、前記支持平面は、前記波長スプリッタを支持し、これにより、前記夾角が前記波長分割面と前記溝底壁との間に形成され、前記平面は、前記溝底壁に対して垂直であるとともに、前記レーザーに対向する、請求項１に記載のシングルファイバー双方向サブアセンブリ。
【請求項７】
第１溝は、前記ベースの前記表面上に配置され、前記第１溝は、前記収容溝の一側に位置するとともに、前記収容溝と連通し、前記レーザーは、前記第１溝に配置されている、請求項２〜６のいずれか一項に記載のシングルファイバー双方向サブアセンブリ。
【請求項８】
前記シングルファイバー双方向サブアセンブリは、プリアンプを備え、前記ベースの前記表面上に第２溝が配置され、前記第２溝は、前記第１溝と反対側で、前記収容溝の別の側に配置され、前記プリアンプは、前記第２溝に配置されるとともに、前記光受信機に電気的に接続されている、請求項７に記載のシングルファイバー双方向サブアセンブリ。
【請求項９】
前記シングルファイバー双方向サブアセンブリは、バックライト検出器を備え、前記バックライト検出器は、前記第１溝に配置され、前記バックライト検出器は、前記レーザーの一側であって前記波長スプリッタから遠い側に位置している、請求項７に記載のシングルファイバー双方向サブアセンブリ。
【請求項１０】
前記封止カバーは、上壁及び前記上壁の周りに配置された周壁を備え、前記レンズは、球状であり、前記上壁の中心位置に配置されている、請求項１〜９のいずれか一項に記載のシングルファイバー双方向サブアセンブリ。
【請求項１１】
前記シングルファイバー双方向サブアセンブリは、ハウジングをさらに備え、前記ハウジングは、前記封止カバーをカバーし、前記ハウジング及び前記封止カバーは、同軸であり、前記レンズの方を向く前記ハウジングの一端に貫通孔が配置され、他端には光ファイバーを挿入するために使用されるポートが配置され、前記ポートの光路と、前記貫通孔の中心線と、前記レンズの中心線とが一致する、請求項１０に記載のシングルファイバー双方向サブアセンブリ。
【発明の詳細な説明】
【技術分野】
【０００１】
本発明は、光通信技術の分野に関し、特にシングルファイバー双方向サブアセンブリに関する。
【背景技術】
【０００２】
光通信システムでは、光学モジュールは主に、光→電気変換又は電気→光変換を実行するように、すなわち、送信すべきデータ信号を光信号に変換し、光ファイバーを使用することにより光信号をピアエンドに送るか；又は、光ファイバーの使用によって、ピアエンドにより送られた光信号を受信し、光信号を電気信号に変換し、電気信号から受信データを復元するように構成される。シングルファイバーの双方向システム（単一のファイバーが双方向のデータ信号を同時に送信するもの）では、光学モジュールは主に、ＢＯＳＡ（Ｂｉｄｉｒｅｃｔｉｏｎａｌ  Ｏｐｔｉｃａｌ  Ｓｕｂ  ａｓｓｅｍｂｌｙ；双方向光学サブアセンブリ）、ＬＡ（Ｌｉｍｉｔｉｎｇ  Ａｍｐｌｉｆｉｅｒ；制限増幅器）、及びＬＤＤ（Ｌａｓｅｒ  Ｄｉｏｄｅ  Ｄｒｉｖｅｒ；レーザーダイオードドライバ）を含む。現在、産業上一般に使用されるＢＯＳＡは、送信機及び受信機を含み、外部から整合用金属片を使用することにより、送信機、受信機、及び光ファイバーコネクタが固定される。これにより、送信機により送信されたレーザー光が光ファイバーに結合され得るとともに、光ファイバーからの光が受信機に送信されてＰＤ（Ｐｈｏｔｏｄｅｔｅｃｔｏｒ；光検出器）により受信され得る。
【０００３】
現在、一般に使用されるシングルファイバー双方向サブアセンブリの設計の方向性は、従来の金属片を加工・成形する手法に基づいている。すなわち、レーザーやプリアンプなどの要素が一方向送受信機の金属ベース上に配置され、４５°光フィルター及び光ファイバーフェルールが光学軸上に構成される。このような構造のシングルファイバー双方向サブアセンブリにおけるレーザー、光送受信機、及びプリアンプは、同一平面上に配置され、光路にわたる送信が隔離カバーのキャビティ内で完結する。送信プロセスでは、レーザーにより放出された光が、キャビティの異なる誘電面により反射される。光送受信機が保護されていないので、光学的・電気的クロストークが非常に起こりやすい。
【発明の概要】
【課題を解決するための手段】
【０００４】
本発明の実施形態では、既存のシングルファイバー双方向サブアセンブリが光信号の送信又は受信を行う際に光学的・電気的クロストークが発生するという技術的課題を解決するためのシングルファイバー双方向サブアセンブリが提供される。
【０００５】
本発明は、シングルファイバー双方向サブアセンブリを提供し、当該シングルファイバー双方向サブアセンブリは、ベースと、レーザーと、光受信機と、波長スプリッタと、レンズを有する封止カバーと、を含む。ベースは、表面を含み、前記表面上に収容溝が配置され、収容溝は、表面に対して平行な溝底壁を含み、波長スプリッタ上に波長分割面が配置され、光受信機は、溝底壁上に配置され、波長スプリッタは、収容溝に配置されるとともに、光受信機をシールドし、レーザーは、収容溝の一側に位置し、波長分割面は、レーザーの方を向き、波長分割面と光受信機が配置された溝底壁との間に夾角が形成されており；封止カバーは、ベースをカバーするとともに、レーザー、光受信機、及び波長スプリッタを収容し、レーザーのビームは、波長分割面によりレンズへ反射され、光受信機は、レンズ及び波長スプリッタを通って送信された光信号の送受信を行う。
【０００６】
波長スプリッタは、波長分割面に対して平行な平面を含み、収容溝の対向する二つの溝側壁の各々に支持スタンドが配置され、支持スタンドは、溝底壁に対して傾いた支持スロープを有し、平面は、支持スロープに対して当接し、これにより、夾角が波長分割面形態と溝底壁との間で形成されている。
【０００７】
ベースは、支持体を含み、支持体は、別個の二つの支持アームと、二つの支持アームを接続する接続バーと、を含み、支持アーム上に支持スロープが配置され、支持スロープに平面が取り付けられ、支持体は、収容溝に配置され、これにより、夾角が波長分割面と溝底壁との間に形成され、光受信機は、二つの支持アームの間に位置している。
【０００８】
波長スプリッタは、平面及び夾角をなすように平面に接続されたスロープを含み、スロープは、波長分割面であり、収容溝の対向する二つの溝側壁の各々に支持スタンドが配置され、支持スタンドは、溝底壁に対して平行な支持平面を有し、支持平面は、波長スプリッタを支持し、平面は、支持平面に対して当接するとともに、光受信機の方を向く。
【０００９】
波長スプリッタは、第１平面と、第１平面に対して直交するように接続された第２平面と、第１平面及び第２平面を接続するスロープと、を含み、スロープは、波長分割面であり、収容溝の対向する二つの溝側壁の各々に支持スタンドが配置され、支持スタンドは、溝底壁に対して傾いた支持スロープを有し、波長スプリッタは、収容溝に収容され、支持スロープは、波長分割面に対して当接し、第１平面は、溝底壁に対して平行であり、第２平面及びレーザーは、互いに対向して配置され、これにより、ビームが第２平面から波長分割面に入射する。
【００１０】
波長スプリッタは、長方形ブロックであり、波長スプリッタは、平面及び波長スプリッタ内部に位置する対角線スロープを含み、対角線スロープは、平面の一辺に接続され、対角線スロープは、波長分割面であり、収容溝の対向する二つの溝側壁の各々に支持スタンドが配置され、支持スタンドは、溝底壁に対して平行な支持平面を有し、支持平面は、波長スプリッタを支持し、これにより、夾角が波長分割面と溝底壁との間に形成され、平面は、溝底壁に対して垂直であるとともに、レーザーに対向する。
【００１１】
第１溝は、ベースの表面上に配置され、第１溝は、収容溝の一側に位置するとともに、収容溝と連通し、レーザーは、第１溝に配置されている。
【００１２】
シングルファイバー双方向サブアセンブリは、プリアンプを含み、ベースの表面上に第２溝が配置され、第２溝は、第１溝と反対側で、収容溝の別の側に配置され、プリアンプは、第２溝に配置されるとともに、光受信機に電気的に接続されている。
【００１３】
記シングルファイバー双方向サブアセンブリは、バックライト検出器を含み、バックライト検出器は、第１溝に配置され、バックライト検出器は、レーザーの一側であって波長スプリッタから遠い側に位置している。
【００１４】
封止カバーは、上壁及び上壁の周りに配置された周壁を含み、レンズは、球状であり、上壁の中心位置に配置されている。
【００１５】
シングルファイバー双方向サブアセンブリは、ハウジングをさらに含み、ハウジングは、封止カバーをカバーし、ハウジング及び封止カバーは、同軸であり、レンズの方を向くハウジングの一端に貫通孔が配置され、他端には光ファイバーを挿入するために使用されるポートが配置され、ポートの光路と、貫通孔の中心線と、レンズの中心線とが一致する。
【００１６】
波長分割面は、波長スプリッタに取り付けられた光学フィルムにより形成された反射面である。波長分割面と溝底壁との間の夾角は、４５°である。
【００１７】
ベースの一側であって表面の反対側には、いくつかのピンがさらに配置される。
【００１８】
本発明におけるシングルファイバー双方向サブアセンブリでは、光受信機が収容溝に配置され、夾角が波長スプリッタの波長分割面と溝底壁との間に形成され、これにより、光受信機及びレーザーが同一平面上に位置せず、高周波数の干渉信号は、収容溝に入るのが困難になり、当該干渉信号が光受信機に入るのが防止されることにより、シングルファイバー双方向サブアセンブリにおける光学的・電気的クロストークが回避される。
【００１９】
本発明の実施形態における技術的解決策をより明確に説明するために、以下、実施形態の説明に必要な添付図面について簡単に説明する。以下の説明における添付図面が単にいくつかの本発明の実施形態を示すものに過ぎず、当業者であれば創作的な苦労なしにこれらの添付図面から別の図面をさらに導き出し得ることは明らかである。
【図面の簡単な説明】
【００２０】
【図１】本発明の第１実施形態に係るシングルファイバー双方向サブアセンブリの内部構造の概略平面図である。
【図２】図１に示すシングルファイバー双方向サブアセンブリの部分構造の概略図である。
【図３】図１に示すシングルファイバー双方向サブアセンブリの概略断面図である。
【図４】本発明の第２実施形態に係るシングルファイバー双方向サブアセンブリの概略断面図である。
【図５】図４に示すシングルファイバー双方向サブアセンブリの波長スプリッタの概略構造図である。
【図６】本発明の第３実施形態に係るシングルファイバー双方向サブアセンブリの概略断面図である。
【図７】本発明の第４実施形態に係るシングルファイバー双方向サブアセンブリの概略断面図である。
【図８】本発明の第５実施形態に係るシングルファイバー双方向サブアセンブリの概略断面図である。
【発明を実施するための形態】
【００２１】
以下、本発明の実装形態の添付図面を参照して、本発明の実装形態における技術的解決策について明確かつ完全に説明する。
【００２２】
本発明は、シングルファイバー双方向サブアセンブリを提供し、当該シングルファイバー双方向サブアセンブリは、光信号の送受信を行うように構成される。
【００２３】
シングルファイバー双方向サブアセンブリは、ベースと、レーザーと、光受信機と、波長スプリッタと、レンズを有する封止カバーと、を含む。ベースは、表面を含み、前記表面上に収容溝が配置され、収容溝は、表面に対して平行な溝底壁を含み、波長スプリッタ上に波長分割面が配置され、光受信機は、溝底壁上に配置され、波長スプリッタは、収容溝に配置されるとともに、光受信機をシールドし、レーザーは、収容溝の一側に位置するとともに、波長分割面の方を向き、波長分割面と光受信機が配置された溝底壁との間に夾角が形成されており；封止カバーは、ベースをカバーするとともに、レーザー、光受信機、及び波長スプリッタを収容し、レーザーのビームは、波長分割面によりレンズへ反射され、光受信機は、レンズ及び波長スプリッタを通って送信された光信号の送受信を行う。
【００２４】
図１〜図３を参照すると、本発明の第１実施形態では、シングルファイバー双方向サブアセンブリは、ベース１０と、レーザー２１と、光受信機２３と、波長スプリッタ２５と、レンズ３１を有する封止カバー３０と、を含む。ベース１０は、表面１１を含む。長方形状の収容溝１３が表面１１上に配置される。収容溝１３は、表面１１に対して平行な溝底壁１３１及び対向する二つの溝側壁１３２を含む。封止カバー３０は、上壁３０１及び上壁の周りに配置された周壁３０２を含み、レンズ３１は、球状で、上壁３０１の中心位置に配置される。封止カバー３０の周壁３０２は、表面１１の周縁に対して当接し、上壁３０１とともに、レーザー２１、光受信機２３、及び波長スプリッタ２５を収容する。レンズ３１は、球状であり、上壁の中心位置に配置される。レンズ３１の中心線は、波長分割面２５１を通過して光受信機２３に至る光路の配置を示す直線に対して平行である。
【００２５】
本実施形態では、図３に示すように、波長スプリッタ２５はシート状であり、波長スプリッタ２５は、波長分割面２５１及び波長分割面２５１に対して平行な平面２５２を含む。各溝側壁１３２上には、収容溝の開口の方を向く支持スタンド１３４が配置され、支持スタンド１３４は、溝底壁１３１に対して傾いた支持スロープ１３３を有する。支持スロープ１３３は、収容溝１３の開口の方を向く。支持スタンドは、ベース１０に一体化されるとともに収容溝１３に配置された支持体であると理解できる。光受信機２３は、溝底壁１３１上に配置されるとともに、二つの溝側壁上の支持スタンドの間に位置する。波長スプリッタ２５は、収容溝１３に配置されるとともに、支持スタンド１３４により支持され、光受信機２３をシールドする。平面が支持スロープ１３３に対して当接することにより、波長分割面２５１と溝底壁１３１との間に夾角（ｉｎｃｌｕｄｅｄ  ａｎｇｌｅ）が形成される。本実施形態では、夾角は４５°である。すなわち、支持スロープ１３３と溝底壁との間の夾角は４５°である。
【００２６】
さらに、第１溝１４がベース１０の表面１１上に配置され、第１溝１４は、収容溝１３の一側に位置し、収容溝１３と連通する。レーザー２１は、光ファイバーレーザーであり、レーザー２１は、第１溝１４に配置されるとともに、波長分割面２５１の方を向く。本発明における収容溝１３の設計された溝深さによると、レーザー２１は、レーザー２１の全ビームを確実に波長分割面２５１に入射させるとともに波長分割面２５１によりレンズ３１へ反射することができるように、波長スプリッタ２５に対するレーザー２１の高さを調節するように第１溝１４に配置される。本実施形態では、第１溝１４の溝底壁は、収容溝１３の溝底壁より高い。波長分割面２５１に適合するようにレーザー２１の高さ調節を容易にするために、支持体が第１溝１４の底壁に配置されて、レーザー２１を支持する。
【００２７】
レーザー２１は、第１溝１４に配置され、波長分割面２５１の方を向く。レーザー２１のビームは、波長分割面２５１に入射し、波長分割面によりレンズ３１へ反射される。次いで、レンズ３１により収束させられた後、ビームは、封止カバーに接続された光ファイバーに入り、光ファイバーを使用することによりサーバー（ｓｅｒｖｉｎｇ  ｅｎｄ）などの外部へ送信される。信号を受信した後、サーバーは、同じ光路を使用することによりフィードバック信号を返す。このフィードバック信号は、レンズ３１により収束させられた後、波長分割面２５１及び波長スプリッタ２５全体を通過する。光受信機２３は、フィードバック信号を受信し、当該フィードバック信号を顧客へ送信する。本発明では、収容溝１３が、光受信機２３を収容するようにシングルファイバー双方向サブアセンブリのベース１０上に配置され、波長スプリッタ２５の波長分割面２５１と光受信機２３を担持する溝底壁との間に夾角が形成され、波長スプリッタ２５が光受信機２３をシールドするので、光受信機２３とレーザー２１とが同一平面上に位置しない。経路が複数回変わって光受信機２３に入射する干渉光が封止カバー中に存在する場合であっても、光受信機２３が収容溝１３中に位置し、波長スプリッタ２５が光受信機２３をシールドするので、高周波数の干渉信号は、収容溝１３に入るのが困難になる。これにより、ビームが光受信機２３に入るのが防止され、さらに、シングルファイバー双方向サブアセンブリにおける光学的・電気的クロストークが回避される。
【００２８】
さらに、シングルファイバー双方向サブアセンブリは、プリアンプ２６を含み、第２溝１７がベース１０の表面１１上に配置され、第２溝１７は、第１溝１４の反対側に位置し、収容溝１３の別の側に配置される。プリアンプ２６は、第２溝１７に配置されるとともに、光受信機２３に電気的に接続される。具体的には、第２溝１７は、収容溝１３と連通する。プリアンプ２６は、第２溝の溝底壁上に配置されるとともに、導電ワイヤを使用することにより光受信機２３に接続される。光ファイバーを使用することにより外部からフィードバックされた信号を受信した後、光受信機２３は、当該信号をプリアンプ２６へ送信し、プリアンプ２６は、当該信号を出力用の電圧信号へ変換する。光信号を受信した後、光受信機２３は、まず光信号をプリアンプ２６へ送信し；次いで、プリアンプ２６は、光信号を電圧信号へ変換し；プリアンプ２６に接続されたピンを使用することにより、シングルファイバー双方向サブアセンブリなどを担持する回路基板に当該電圧信号を出力する。
【００２９】
さらに、シングルファイバー双方向サブアセンブリは、バックライト検出器２８を含み、バックライト検出器２８は、第１溝１４に配置され、バックライト検出器２８は、レーザー２１の一側であって波長スプリッタ２５から遠い側に位置する。本実施形態では、バックライト検出器２８は、ブラケット１８１を使用することにより第１溝１４に配置されるとともに、レーザー２１の方を向き、バックライト検出器２８は、レーザー２１の光放出率を監視するように構成される。
【００３０】
さらに、いくつかのピン１９が、ベース１０の一側であって表面１１の反対側にさらに配置される。ベース１０は、略円錘台状であり、ベース１０は、表面１１と反対側の後部ファセット１１１を含む。表面１１及び後部ファセット１１１は、円形の平面である。いくつかのピン１９は、一端がベース１０に挿入された状態で、後部ファセット１１１上に配置される。レーザー２１、光受信機２３、プリアンプ２６、及びバックライト検出器２８はそれぞれ、対応する一つのピン１９に接続され、いくつかのピン１９は、レンズにより収束させられて光ファイバーを通って戻り、光受信機２３により受信された信号の送信を実行するために、顧客用コネクタに接続される。
【００３１】
さらに、波長分割面２５１は、波長スプリッタ２５上の光学フィルムにより形成された反射面である。波長分割面２５１に到達した後、レーザー２１のビームはレンズ３１へ反射され、当該ビームが波長スプリッタを直接通過して光受信機２３に入るのが防止される。
【００３２】
さらに、シングルファイバー双方向サブアセンブリは、ハウジング４０をさらに含み、ハウジング４０は、封止カバー３０をカバーし、ハウジング４０及び封止カバー３０は、同軸である。ハウジング４０の一端であってレンズ３１の方を向く端には、貫通孔４１が配置される。他端には、光ファイバー５０を挿入するために使用されるポート４２が配置される。ポート４２を通って送信されるビームと、貫通孔４１の中心線と、レンズ３１の中心線とは一致する。具体的には、光ファイバー５０は、主に、光ファイバーフェルール及びスリーブを含むアダプタである。ハウジング４０は円筒状であり、ハウジング４０内部にはバッフルプレート４０１が配置される。貫通孔４１は、バッフルプレート４０１の中央に配置される。ポート４２は、ハウジング４０の他端に配置される。光ファイバー５０は、光ファイバーフェルールがポート４２に挿入されるように、スリーブとハウジングとを溶接することにより固定される。バッフルプレート４０１が配置されたハウジング４０の端で封止カバー３０が覆われることにより、封止カバー３０が封止される。
【００３３】
図４及び図５を参照すると、本発明の第２実施形態では、第１実施形態と第２実施形態との相違点は、波長スプリッタ２５がベース１０の支持体１５により支持される点にある。支持体１５及びベース１０は、独立して配置される。支持体１５は、別個の二つの支持アーム１５１と、二つの支持アーム１５１を接続する接続バー１５２と、を含み、支持アーム１５１上には支持スロープ１５３が配置され、支持スロープ１５３には波長スプリッタ２５の平面が取り付けられ、支持体１５が収容溝１３に配置され、これにより、波長分割面２５１と溝底壁１３１との間に夾角が形成され、二つの支持アームの間に光受信機が位置する。
【００３４】
本実施形態では、支持体１５は、直角三角形状の支持構造体であり、支持アーム１５１は、直角三角形状のブロックであり、支持スロープ１５３は、三角形状のブロックのスロープである。接続バー１５２は、直角位置ではない角度の位置で二つの支持アーム１５１を接続し、これにより、支持体１５が溝底壁１３１上で水平に配置され得るとともに、支持スロープ１５３と溝底壁との間の夾角が４５°となる。すなわち、接続バー１５２が配置された側は、溝底壁１３１に対して当接する。まず、波長スプリッタ２５が最初に支持スロープ１５３上に配置され、次いで、支持体１５が、波長分割面２５１がレーザー２１の方を向いた状態で、収容溝１３に配置されるとともに収容溝１３に固定される。
【００３５】
本実施形態では、支持体１５及びベース１０が別個に配置され、これにより、波長スプリッタ２５及び支持体１５の組立て精度を保証し、さらに、レーザーなどの要素に対する波長スプリッタ２５の位置精度を保証するように、波長スプリッタ２５が支持体１５上に配置される。すなわち、まず、波長スプリッタ２５が最初に支持体１５上に配置されてよく、次いで、支持体１５がベース１０上に配置される。
【００３６】
図６を参照すると、本発明の第３実施形態では、第１実施形態と第３実施形態との相違点は、波長スプリッタ４５が、第１平面４５２と、第１平面４５２に対して直交するように接続された第２平面４５３と、第１平面４５２及び第２平面４５３を接続するスロープと、を含み、当該スロープが波長分割面４５１である点にある。波長スプリッタ４５は、収容溝１３に収容され、支持スロープ１３３は、波長分割面４５１に対して当接し、これにより、波長分割面４５１と溝底壁１３１との間に夾角が形成される。第１平面４５２は、溝底壁１３１に対して平行であり、第２平面４５３は、レーザー２１に対向し、これにより、ビームが第２平面から波長分割面４５１へ入射する。本実施形態では、第１平面４５２は、収容溝１３の開口の方を向くとともに、光受信機２３が位置する平面に対して平行である。
【００３７】
具体的には、波長スプリッタ４５は、透明な直角三角形状のピラミッドであり、第１平面４５２及び第２平面４５３は、直角三角形ピラミッドの二つの直角面上の表面であり、波長分割面４５１は、直角三角形ピラミッドのスロープである。第２平面４５３及び波長分割面４５１は、収容溝１３に部分的に位置し、第２平面４５３は、レーザー２１に近接している。本実施形態の波長スプリッタ４５は、直角三角形ピラミッドであるので、組立て中の組立て精度が保証され得るとともに、シングルファイバー双方向サブアセンブリにおける滑らかな信号送信がさらに保証される。
【００３８】
図７を参照すると、本発明の第４実施形態では、第１実施形態と第４実施形態との相違点は、波長スプリッタ３５が平面３５２と夾角をなすように平面３５２に接続されたスロープとを含み、当該スロープが波長分割面３５１である点にある。収容溝１３の対向する二つの溝側壁１３２の各々に支持スタンド（図示せず）が配置され、支持スタンドは、溝底壁１３１に対して平行な支持平面１３７を有し、支持平面１３７は、収容溝１３中で波長スプリッタ３５に対して当接するとともに波長スプリッタ３５を支持し、平面３５２は、支持平面１３７に対して当接するとともに、光受信機２３の方を向く。具体的には、平面３５２は、溝底壁１３１に対して平行であり、波長分割面は、レーザー２１の方を向く。
【００３９】
別の実装形態では、支持平面は、表面に対して平行に、収容溝の開口の外側に配置されてもよいと理解できる。波長スプリッタ３５は、収容溝１３のすぐ上の外側で支持される。波長スプリッタ３５の平面３５２は、収容溝１３の開口位置に位置し、表面１１に対して平行である。波長分割面３５１は、収容溝１３の外側表面１１より上に位置し、レーザー２１の方を向く。この構造では、レーザーを第１溝に配置する必要はない。直角三角形ピラミッドの波長スプリッタ３５は、光受信機２３をカバーするように、選択されて、支持体を使用することにより収容溝の上で外部に配置され、これにより、波長分割面３５１及び収容溝１３が光受信機２３を保護する。加えて、レーザー２１は、表面１１上に直接配置されてもよく、レーザー２１及びバックライト検出器２８並びに収容溝の各位置に対して、レーザー２１を収容する溝が追加で配置される必要がなくなり、使用される加工技術が抑制される。
【００４０】
図８を参照すると、本発明の第５実施形態では、第４実施形態と第５実施形態との相違点は、波長スプリッタ５５が長方形状のブロックであり、波長スプリッタ５５が平面５５２と波長スプリッタ５５内部に位置する対角線スロープとを含み、対角線スロープが平面５５２の一辺に接続され、対角線スロープが波長分割面５５１である点にある。支持平面１３７は、波長スプリッタ５５を支持し、これにより、波長分割面５５１と溝底壁１３１との間に夾角が形成され、平面５５２は、溝底壁１３１に対して垂直であるとともに、レーザー２１に対向する。
【００４１】
具体的には、波長スプリッタ５５は、ガラスの長方形ブロックであり、平面５５２は、長方形ブロックの波長スプリッタ５５上の表面であり、波長分割面５５１は、長方形ブロックの対角線平面であり、具体的には、長方形ブロックの対角線平面上に光学フィルムを取り付けることにより形成される。平面５５２及び波長分割面５５１は、収容溝１３に部分的に収容される。別の実装形態では、波長スプリッタ５５の平面５５２が収容溝１３の開口位置に位置するとともに、表面１１に対して平行であり、波長分割面５５１が収容溝１３の外側表面１１の上に配置されるとともに、レーザー２１に対向すると理解できる。
【００４２】
上述の説明は、本発明の実装形態の例示である。なお、当業者は、本発明の原理を逸脱することなく改善及び改良をすることができ、このような改善及び改良は、本発明の保護範囲に含まれるべきである。
【符号の説明】
【００４３】
１０  ベース
１１  表面
１３  収容溝
１４  第１溝
１５  支持体
１７  第２溝
１９  ピン
２１  レーザー
２３  光受信機
２５  波長スプリッタ
２６  プリアンプ
２８  バックライト検出器
３０  封止カバー
３１  レンズ
３５  波長スプリッタ
４０  ハウジング
４１  貫通孔
４２  ポート
４５  波長スプリッタ
５０  光ファイバー
５５  波長スプリッタ
１１１  後部ファセット
１３１  溝底壁
１３２  溝側壁
１３３  支持スロープ
１３４  支持スタンド
１３７  支持平面
１５１  支持アーム
１５２  接続バー
１５３  支持スロープ
１８１  ブラケット
２５１  波長分割面
２５２  平面
３０１  上壁
３０２  周壁
３５１  波長分割面
３５２  平面
４０１  バッフルプレート
４０２  ポート
４５１  波長分割面
４５２  第１平面
４５３  第２平面
５５１  波長分割面
５５２  平面
【図１】
2019503518.tif 000003
【図２】
2019503518.tif 000004
【図３】
2019503518.tif 000005
【図４】
2019503518.tif 000006
【図５】
2019503518.tif 000007
【図６】
2019503518.tif 000008
【図７】
2019503518.tif 000009
【図８】
2019503518.tif 000010
【国際調査報告】
2019503518.tif 000011
2019503518.tif 000012
2019503518.tif 000013
2019503518.tif 000014
2019503518.tif 000015
2019503518.tif 000016